(57)【要約】【課題】ヘッダー本体への配管の接続が容易であるとともに、ヘッダー本体から床下空間への配管の取り出しが容易である熱媒供給ヘッダーを提供すること。【解決手段】熱媒を分岐、回収するためのヘッダー本体３４を備え、ヘッダー本体３４の一側面には第１及び第２接続パイプ５６，５８が設けられ、その他側面に第３及び第４接続パイプ６０，６２が設けられている。第１接続パイプ５６と第３接続パイプ６０とが往き通路４４により連通され、第２接続パイプ５８と第４接続パイプ６２とが戻り通路４６により連通されている。また、ヘッダー本体３４の底部には、往き通路４４に連通する第５接続パイプ６６が設けられているとともに、戻り通路４６に連通する第６接続パイプ６８が設けられている。【選択図】      図１
2004162925.tif 000002
【特許請求の範囲】
【請求項１】
熱媒を分岐、回収するためのヘッダー本体を備え、前記ヘッダー本体の一側面に第１供給接続口及び第１戻り接続口が設けられ、ヘッダー本体の前記一側面と異なる他側面に第２供給接続口及び第２戻り接続口が設けられ、前記第１供給接続口と前記第２供給接続口とが往き通路により連通され、前記第１戻り接続口と前記第２戻り接続口とが戻り通路により連通され、前記ヘッダー本体の底部には前記往き通路に連通する熱媒供給接続口が設けられているとともに、前記戻り通路に連通する熱媒戻り接続口が設けられていることを特徴とする熱媒供給ヘッダー。
【請求項２】
前記往き通路は、前記戻り通路の下方に間隔をおいてこれに交差して延びており、前記熱媒供給接続口は、両通路の交差領域にて前記往き通路に連通し、前記熱媒戻り接続口は、前記交差領域以外の領域にて前記戻り通路に連通している請求項１記載の熱媒供給ヘッダー。
【請求項３】
前記往き通路の一端側部は、前記第１供給接続口から下方に延びて前記ヘッダー本体の底部に開口し、その他端側部は前記第２供給接続口から下方に延びて前記ヘッダー本体の底面に開口し、前記往き通路の底面開口が前記熱媒供給接続口に接続されている請求項２記載の熱媒供給ヘッダー。
【請求項４】
前記戻り通路は、前記往き通路の下方に間隔をおいてこれに交差して延びており、前記熱媒戻り接続口は、両通路の交差領域にて前記戻り通路に連通し、前記熱媒往き接続口は、前記交差領域以外の領域にて前記往き通路に連通している請求項１記載の熱媒供給ヘッダー。
【請求項５】
前記戻り通路の一端側部は、前記第１戻り接続口から下方に延びて前記ヘッダー本体の底部に開口し、その他端側部は前記第２戻り接続口から下方に延びて前記ヘッダー本体の底面に開口し、前記戻り通路の底面開口が前記熱媒往き接続口に接続されている請求項４記載の熱媒供給ヘッダー。
【発明の詳細な説明】
【０００１】
【発明の属する技術分野】
本発明は、室内の壁、天井、床などに設置される冷房及び／又は暖房用の装置に用いられる熱媒供給ヘッダーに関する。
【０００２】
【従来の技術】
冷房及び／又は暖房用の装置の一例として、温水を利用した温水式床暖房システムが広く知られている。図９は、この床暖房システムの放熱体としての温水マットの一例を示し、図１０は、図９におけるＥ−Ｅ線による断面図であり、図１１は、図９の温水マットに用いられた温水供給ヘッダー及びその近傍を示す図である。
【０００３】
図９〜図１１において、温水マット２は床面に設置される発泡樹脂製の温水マット基材４を備え、この温水マット基材４には、床仕上げ材固定用の桟木６（「小根太」と呼ばれる）が一定間隔をおいて設けられている。温水マット基材４の一側縁には、熱媒としての温水を分岐、回収するための温水供給用の温水供給ヘッダー８が組み込まれている。この温水供給ヘッダー８には、通常、複数本の温水パイプ１０が接続され、温水パイプ１０は、温水マット基材４に桟木６を迂回するように配設される。
【０００４】
温水供給ヘッダー８は、図１１に示すように、矩形状のヘッダー本体１２を備え、このヘッダー本体１２の一側面に往き温水接続部１４及び戻り温水接続部１６が設けられ、その他の一側面に第１供給接続部１８及び第１戻り接続部２０が設けられ、更に他の一側面に第２供給接続部２２及び第２戻り接続部２４が設けられ、温水パイプ１０の一端側は第１供給接続部１８（第２供給接続部２２）に接続され、その他端側は第１戻り接続部２０（第２戻り接続部２４）に接続される。また、往き温水接続部が熱源機の温水供給側に接続され、戻り温水接続部１６が熱源機の戻り側に接続される。
【０００５】
このように構成されているので、熱源機から供給された温水は、温水供給ヘッダー８の往き温水接続部１４を通してヘッダー本体１２に供給され、このヘッダー本体１２にて図１１に破線で示すように第１供給接続部１８及び第２供給接続部２２に分配されて各温水パイプ１０の一端側に供給される。各温水パイプ１０に供給された温水は、温水パイプ１０を通って温水マット２の全面に供給された後、温水供給ヘッダー８の第１戻り接続部２０及び第２戻り温水接続部２４に戻り、ヘッダー本体１２内で合流し、この後、温水供給ヘッダー８の戻り接続部１６から熱源機に戻る。このように温水供給ヘッダー８及び温水パイプ１０を含む温水循環流路を通しての温水の循環によって、温水パイプ１０を流れる温水からの熱が温水マット２の表面に設けられた均熱材２６より均一化され、その表面側に配設された床仕上げ材２８を介して室内に放熱され、こような放熱作用でもって室内空間が暖められる。
【０００６】
このような床暖房システムに用いられる温水供給ヘッダー８は、往き温水接続部１４及び戻り温水接続部１６が温水供給ヘッダー８のヘッダー本体１２の側面から側方に突出する構成となっている（例えば、特許文献１及び特許文献２参照）。従って、熱源機と温水供給ヘッダー８とを接続するための温水配管（例えば、合成樹脂から形成される）は、いずれも床下地面と略平行となるように往き温水接続部１４及び戻り温水接続部１６に接続される。そして、このように接続された温水配管は、床下地に設けた孔部を通して床下に挿通され、床下空間を通って熱源機に導かれる。
【０００７】
【特許文献１】
特開平８−２６１４８２号公報
【特許文献２】
特開平８−２７８０３６号公報
【０００８】
【発明が解決しようとする課題】
しかしながら、上述した従来の温水供給ヘッダー８には、次の通りの問題がある。公知の温水供給ヘッダー８では、ヘッダー本体１２の側面に往き温水接続部１４及び戻り温水接続部１６設けられ、熱源機との接続用の温水配管が床下地面と略平行に取り出されて床下空間に導かれるようになり、それ故に、施工作業時に、床下空間への貫通孔部において温水配管が座屈し易く、温水配管が座屈すると熱源機と温水マットとの間の温水回路が遮断されるおそれがある。また、床下地の上で温水配管を中継するための継手などを用いる場合、この継手などの配置スペースに制約があり、その配管接続工事が面倒なものとなる。
加えて、温水マット２の平面温度分布を均一にするために、相互に隣接して延びる一対の温水パイプ（供給接続部及び戻り接続部）は、温水の流れが相互に逆方向に流れるように配置されることが多い。この場合、ヘッダー本体１２において、第１供給接続部１８と第２供給接続部２２とが対角方向に位置し、第１戻り接続部２０と第２戻り温水接続部２４とが対角方向に位置するようになり、このように構成した場合、第１供給接続部１８と第２供給接続部２２を連通する往き通路と、第１戻り接続部２０と第２戻り温水接続部２４を連通する戻り通路とが、ヘッダー本体１２の内部で交差状態に配置されることになる。従って、温水供給ヘッダー２には、上部壁、中間部壁及び下部壁の３層の隔壁が必要になり、これにより、温水供給ヘッダー２の肉厚が厚くなるという問題がある。
【０００９】
本発明の目的は、ヘッダー本体への配管の接続が容易であるとともに、ヘッダー本体から床下空間への配管の取り出しが容易である熱媒供給ヘッダーを提供することである。
【００１０】
本発明の他の目的は、ヘッダー本体の肉厚を薄くすることができる熱媒供給ヘッダーを提供することである。
【００１１】
【課題を解決するための手段】
本発明の請求項１記載の熱媒供給ヘッダーは、熱媒を分岐、回収するためのヘッダー本体を備え、前記ヘッダー本体の一側面に第１供給接続口及び第１戻り接続口が設けられ、ヘッダー本体の前記一側面と異なる他側面に第２供給接続口及び第２戻り接続口が設けられ、前記第１供給接続口と前記第２供給接続口とが往き通路により連通され、前記第１戻り接続口と前記第２戻り接続口とが戻り通路により連通され、前記ヘッダー本体の底部には前記往き通路に連通する熱媒供給接続口が設けられているとともに、前記戻り通路に連通する熱媒戻り接続口が設けられていることを特徴とする。
【００１２】
この熱媒供給ヘッダーでは、熱媒供給接続口に供給された熱媒は往き通路を通して第１及び第２供給接続口に供給され、第１及び第２供給接続口に接続された例えば熱媒循環用パイプなどに送給される。このように送給された熱媒の温熱（又は冷熱）は、熱媒循環パイプなどを通して流れる間に暖房（又は冷房）の対象空間に放熱された後に第１及び第２戻り接続口に戻り、更に戻り通路を通して熱媒戻り接続口に戻る。暖房する場合、加熱源が用いられ、加熱源からの温熱媒体が熱媒供給接続口に供給され、熱媒循環パイプを循環した温熱媒体が熱媒戻り接続口から加熱源に戻される。一方、冷房する場合、冷却源が用いられ、冷却源からの冷熱媒体が熱媒供給接続口に供給され、熱媒循環パイプを循環した冷熱媒体が熱媒戻り接続口から冷却源に戻される。
【００１３】
また、この熱媒供給ヘッダーでは、ヘッダー本体の底部に熱媒供給接続口及び熱媒戻り接続口が設けられているので、対応する配管を下方から熱媒供給接続口及び熱媒戻り接続口に容易に接続することができ、床下空間への配管の取り出しが容易になると共に、配管が床下貫通部で座屈することがなく、熱媒循環回路が遮断されるという不都合が生じることもない。また、この配管が床下空間に直接的に取り出されることから、この配管を中継などするための継手などを床下空間に配置でき、配管などの施工が比較的容易なものとなる。
【００１４】
また、本発明の請求項２記載の熱媒供給ヘッダーは、請求項１記載の熱媒供給ヘッダーにおいて、前記往き通路は、前記戻り通路の下方に間隔をおいてこれに交差して延びており、前記熱媒供給接続口は、両通路の交差領域にて前記往き通路に連通し、前記熱媒戻り接続口は、前記交差領域以外の領域にて前記戻り通路に連通していることを特徴とする。
【００１５】
この熱媒供給ヘッダーでは、往き通路に連通する熱媒供給接続口が往き通路と戻り通路の交差領域に設けられているので、この熱媒供給接続口が前記交差領域にない場合に比して、熱媒戻り接続口をこの熱媒供給接続口に近接して配置することが可能となる。従って、熱媒供給接続口及び熱媒戻り接続口並びにこれらに接続される配管を挿通させるための床下地の貫通孔を小さくすることができ、これによって、床下地に貫通孔を形成することによる強度低下を最小限にすることができる。
【００１６】
また、本発明の請求項３記載の熱媒供給ヘッダーは、請求項２記載の熱媒供給ヘッダーにおいて、前記往き通路の一端側部は、前記第１供給接続口から下方に延びて前記ヘッダー本体の底部に開口し、その他端側部は前記第２供給接続口から下方に延びて前記ヘッダー本体の底面に開口し、前記往き通路の底面開口が前記熱媒供給接続口に接続されていることを特徴とする。
【００１７】
この熱媒供給ヘッダーでは、往き通路の一端側部は、第１供給接続口から下方に延びて両通路の交差領域にてヘッダー本体の底部に開口し、その他端側部は第２供給接続口から下方に延びて上記交差領域にてヘッダー本体の底面に開口し、これらの開口が上記交差領域において熱媒供給接続口に接続されているので、この交差領域において、戻り通路と往き通路を隔てるための隔壁は必要であるが、この隔壁の下方に更に往き通路を形成するための隔壁を設ける必要はなく、従って、ヘッダー本体における通路（流路）を形成する隔壁が２層でよく、ヘッダー本体の肉厚を薄くすることができる。これによって、床設置体（例えば、温水マット）の肉厚を薄くすることができると共に、床下空間への配管施工の接続箇所も熱媒供給接続口及び熱媒戻り接続口の２個所でよく、床下配管での施工性も向上する。
【００１８】
また、本発明の請求項４の熱媒供給ヘッダーは、請求項１の熱供給ヘッダーにおいて、前記戻り通路は、前記往き通路の下方に間隔をおいてこれに交差して延びており、前記熱媒戻り接続口は、両通路の交差領域にて前記戻り通路に連通し、前記熱媒往き接続口は、前記交差領域以外の領域にて前記往き通路に連通していることを特徴とする。
【００１９】
この熱媒供給ヘッダーでは、戻り通路に連通する熱媒戻り接続口が往き通路と戻り通路の交差領域に設けられているので、この熱媒戻り接続口が前記交差領域にない場合に比して、熱媒供給接続口をこの熱媒戻り接続口に近接して配置することが可能となる。従って、熱媒供給接続口及び熱媒戻り接続口並びにこれらに接続される配管を挿通させるための床下地の貫通孔を小さくすることができ、これによって、床下地に貫通孔を形成することによる強度低下を最小限にすることができる。
【００２０】
更に、本発明の請求項５の熱媒供給ヘッダーは、請求項４の熱媒供給ヘッダーにおいて、前記戻り通路の一端側部は、前記第１戻り接続口から下方に延びて前記ヘッダー本体の底部に開口し、その他端側部は前記第２戻り接続口から下方に延びて前記ヘッダー本体の底面に開口し、前記戻り通路の底面開口が前記熱媒往き接続口に接続されていることを特徴とする。
【００２１】
この熱媒供給ヘッダーでは、戻り通路の一端側部は、第１戻り接続口から下方に延びて両通路の交差領域にてヘッダー本体の底部に開口し、その他端側部は第２戻り接続口から下方に延びて上記交差領域にてヘッダー本体の底面に開口し、これらの開口が上記交差領域において熱媒戻り接続口に接続されているので、この交差領域において、往き通路と戻り通路を隔てるための隔壁は必要であるが、この隔壁の下方に更に戻り通路を形成するための隔壁を設ける必要はなく、従って、ヘッダー本体における通路（流路）を形成する隔壁が２層でよく、ヘッダー本体の肉厚を薄くすることができる。
【００２２】
【発明の実施の形態】
以下、図１〜図８を参照して、本発明に従う熱媒供給ヘッダーの実施形態について説明する。
第１の実施形態
図１〜図４を参照して、第１の実施形態の熱媒供給ヘッダーについて説明する。図１は、第１の実施形態の熱媒供給ヘッダーを示す平面図であり、図２は、図１におけるＡ−Ａ線による断面図であり、図３は、図１におけるＢ−Ｂ線による断面図であり、図４は、図１の熱媒供給ヘッダーの使用状態を示す断面図である。
【００２３】
図１〜図３において、図示の熱媒供給ヘッダー３２は矩形状のヘッダー本体３４を有し、このヘッダー本体３４の一側面（図１〜図３において左側面）に一対の開口部３６，３８が設けられ、またその他側面（図１〜図３において右側面であって、上記一側面とは反対側の側面）に一対の開口部４０，４２が設けられている。この実施形態では、上記一側面の一方の開口部３６と上記他側面の一方の開口部４０とが往き通路４４を介して連通され、上記一側面の他方の開口部３６と上記他側面の他方の開口部４２とが戻り通路４６を介して連通されている。往き通路４４と戻り通路４６とは、上下方向（図１において紙面に垂直な方向、図２及び図３において上下方向）に間隔をおいて実質上平行に且つ相互に交差するように設けられ、戻り通路４６の下側に往き通路４４が配置されている。従って、両通路４４，４６の交差領域４８においては、ヘッダー本体３４の上壁部５０と中間壁部５２との間に戻り通路４６が規定され、その中間壁部５２と下壁部５４との間に往き通路４４が規定されている。
【００２４】
このヘッダー本体３４の一側面の開口部３６には、第１供給接続口を規定する第１接続パイプ５６が接続され、その開口部３８には、第１戻り接続口を規定する第２接続パイプ５８が接続される。また、ヘッダー本体３４の他側面の開口部４０には、第２供給接続口を規定する第３接続パイプ６０が接続され、その開口部４２には、第２戻り接続口を規定する第４接続パイプ６０が接続される。
【００２５】
この第１の形態では、ヘッダー本体３４の底面であって、往き通路４４と戻り通路４６との交差領域４８から外れた部位には、一対の底開口部６２，６４が設けられ、一方の底開口部６２が往き通路４４に連通され（図２参照）、他方の底開口部６４が戻り通路４６に連通されている。一方の底開口部６２には、熱媒供給接続口を規定する第５接続パイプ６６が接続され、他方の底開口部６４には、熱媒戻り接続口を規定する第６接続パイプ６８が接続されている。
【００２６】
この熱媒供給ヘッダー３２は、例えば、図９〜図１１に示す温水式床暖房システムに、従来の温水供給ヘッダーに代えて用いられる。図４をも参照して、この熱媒供給ヘッダー３２を用いる場合、床下地７０の所定部位に床下空間７２に連通する貫通孔７４が設けられ、この貫通孔７４を覆うように熱媒供給ヘッダー３２が取り付けられる。床下地７０は、例えば、断熱材７６と、この断熱材７６の上面側に配設された下地合板７８とから構成され、断熱材７６及び下地合板７８を貫通して貫通孔７４が設けられ、ヘッダー本体３４の底部に接続された第５接続パイプ６６（熱媒供給接続口）及び第６接続パイプ６８（熱媒戻り接続口）はかかる貫通孔７４を通して床下空間７２に延びている。図示していないが、第５接続パイプ６６には、熱源機の如き加熱源（冷房の場合、冷却源）の供給側からの配管が接続され、第６接続パイプ６８には、加熱源の戻り側からの配管が接続される。
【００２７】
また、第１接続パイプ５６（第１供給接続口）には、温水マット８１（冷房の場合、冷水マット）の対応する温水パイプ８０（冷房の場合、冷水パイプ）の一端部が接続され、第２接続パイプ５８（第１戻り接続口）には、対応する温水パイプ８０の他端部が接続される。また、第３接続パイプ４０（第２供給接続口）には、温水マット８１の対応する他の温水パイプ８０の一端部が接続され、第４接続パイプ６２（第２戻り接続口）には、対応する他の温水パイプ８０の他端部が接続される。
【００２８】
この温水マット８１の上面（表面）側には、熱伝達を均一化するための均熱材８２が配設され、この均熱材８２の上面側に床仕上げ部材８４が配設される。均熱材８２は、例えばアルミニウム製の薄いシートから構成され、床仕上げ部材８４は、例えば化粧合板から構成される。
【００２９】
このような熱媒供給ヘッダー３２を用いた床暖房システムにおいては、加熱源からの熱媒としての温水は、配管（図示せず）を通して矢印８６で示すように第５接続パイプ６６に供給され、かく供給された温水は熱媒供給接続口、往き通路４４を通して第１供給接続口（第１接続パイプ５６）及び第２供給接続口（第３接続パイプ６０）に流れ、これら第１及び第２供給接続口から矢印８８で示すように対応する温水パイプ８０に送給される。このように送給された温水は温水パイプ８０を通して流れ、かく流れる間に温水からの熱が温水パイプ８０及び均熱材８２を介して床仕上げ部材８４に伝達され、床仕上げ部材８４からの放熱によって室内が暖房される。
【００３０】
温水パイプ８０を流れた温水は、矢印９０で示すように、第１戻り接続口（第２接続パイプ５８）及び第２戻り接続口（第４接続パイプ６２）を通り、更に戻り通路６４を通して熱媒戻り接続口（第６接続パイプ６８）に流れ、第６接続パイプ６８から矢印９２で示すように配管（図示せず）を通して加熱源に戻る。
【００３１】
上述した熱媒供給ヘッダー３２では、熱媒供給接続口（第５接続パイプ６６）及び熱媒戻り接続口（第６接続パイプ６８）がヘッダー本体３４の底部に設けられているので、図４から容易に理解される如く、加熱源と接続する配管を床下空間７２から簡単に接続することができ、また床下空間７２への取り出しが容易となり、更に配管を曲げることなく床下空間７２に取り出すことができる。
【００３２】
第２の実施形態
次に、図５〜図７を参照して、第２の実施形態の熱媒供給ヘッダーについて説明する。図５は、第２の実施形態の熱媒供給ヘッダーを示す平面図であり、図６は、図５におけるＣ−Ｃ線による断面図であり、図７は、図１におけるＤ−Ｄ線による断面図である。尚、以下の実施形態において、第１の実施形態と実質上同一のものには同一の参照番号を付し、その説明を省略する。
【００３３】
図５〜図７において、この熱媒供給ヘッダー３２Ａも矩形状のヘッダー本体３４Ａを備え、第１の実施形態と同様に、このヘッダー本体３４Ａの一側面に一対の開口部３６，３８が設けられ、またその他側面に一対の開口部４０，４２が設けられ、一方の開口部３６と一方の開口部４０とが往き通路４４Ａを介して連通され、他方の開口部３８と他方の開口部４２とが戻り通路４６Ａを介して連通されている。
【００３４】
この実施形態では、戻り通路４６Ａの下方に間隔をおいて往き通路４４Ａが配置され、戻り通路４６Ａは実質上水平に延びているが、往き通路４４Ａは、その一端側部（図５〜図７において左端側部）が開口部３６から下方に直線状に延びて両通路４４Ａ．４６Ａの交差領域４８にてヘッダー本体３４Ａの底面に開口しているとともに、その他端側部（図５〜図７において右端側部）が開口部４２から下方に直線状に延びて上記交差領域４８にてヘッダー本体３４Ａの底面に開口している。そして、両通路４４Ａ，４６Ａの交差領域４８にて、熱媒供給接続口を規定する第５接続パイプ６６Ａが往き通路４４Ａに接続され、上記交差領域４８以外の領域（この形態では、交差領域４８と開口部３８との間の領域）にて、熱媒戻り接続口を規定する第６接続パイプ６８Ａが戻り通路４６Ａに接続されている。従って、両通路４４Ａ，４６Ａの交差領域４８においては、ヘッダー本体３４Ａの上壁部５０と中間壁部５２との間に戻り通路４６Ａが規定され、この中間壁部５２の下側に往き通路４４Ａが規定され、往き通路４４Ａの下側は直接的に熱媒供給接続口に連通している。この第２の実施形態のその他の構成は、上述した第１の実施形態と実質上同一である。
【００３５】
この第２の実施形態の熱媒供給ヘッダー３２Ａにおいては、加熱源（図示せず）から矢印８６で示すように第５接続パイプ６６に供給された温水は、熱媒供給接続口及び往き通路４４Ａを通して第１供給接続口（第１接続パイプ５６）及び第２供給接続口（第３接続パイプ６０）から対応する温水パイプ（図示せず）に矢印８８で示すように送給される。また、温水パイプ（図示せず）からの温水は、矢印９０で示すように、第１戻り接続口（第２接続パイプ５８）及び第２戻り接続口（第４接続パイプ６２）を通り、更に戻り通路６４Ａを通して熱媒戻り接続口（第６接続パイプ６８）に流れ、第６接続パイプ６８から矢印９２で示すように加熱源に戻る。
【００３６】
この熱媒供給ヘッダー３２Ａでは、上述した構成を有する故に、更に、次の通りの特徴を有している。第１に、熱媒供給接続口（第５接続パイプ６６）がヘッダー本体３４Ａの底部における上記交差領域４８に設けられているので、熱供給接続口（第５接続パイプ６６）と熱媒戻り接続口（第６接続パイプ６８）との間隔を小さくすることができる。従って、配管を床下空間に引き出すための床下地の貫通孔の内径を小さくすることが可能となり、これにより、貫通孔による床下地の強度低下を抑えることができる。第２に、図６に示すように、両通路４４Ａ，４６Ａの交差領域４８においては、戻り通路４６Ａの上側を規定するための上壁部５０と、戻り通路４６Ａと往き通路４４Ａとを隔てるための中間壁部５２とが存在すればよく（換言すると、往き通路４４Ａの下側を規定するための下壁部を省略することができる）、ヘッダー本体１２の肉厚を従来に比して薄くすることができる。
【００３７】
尚、この第２の実施形態では、両通路４４Ａ，４６Ａの交差領域４８に熱媒供給接続口が設けられていることに関連してその径が大きく形成され、第６接続パイプ６６Ａの基部の外径は大きくなっているが、配管とに接続を容易にするために、その先端部の外径は小さくなっている。
【００３８】
第３の実施形態
次に、図８を参照して、第３の実施形態の熱媒供給ヘッダーについて説明する。図８は、第３の実施形態の熱媒供給ヘッダーを示す平面図である。第３の実施形態では、往き通路と戻り通路との交差領域に熱媒戻り接続口が配設されている。
【００３９】
図８において、この熱媒供給ヘッダー３２Ｂも矩形状のヘッダー本体３４Ｂを備え、このヘッダー本体３４Ｂの一側面に一対の開口部３６，３８が設けられ、またその他側面に一対の開口部４０，４２が設けられ、一方の開口部３６と一方の開口部４０とが戻り通路４６Ｂを介して連通され、他方の開口部３８と他方の開口部４２とが往き通路４４Ｂを介して連通されている。
【００４０】
この第３の実施形態では、第２の実施形態と反対に、往き通路４４Ｂの下方に間隔をおいて戻り通路４６Ｂが配置され、往き通路４４Ｂは実質上水平に延びているが、戻り通路４６Ｂは、その一端側部が開口部３６から下方に直線状に延びて両通路４４Ｂ．４６Ｂの交差領域４８にてヘッダー本体３４Ｂの底面に開口しているとともに、その他端側部が開口部４２から下方に直線状に延びて上記交差領域４８にてヘッダー本体３４Ｂの底面に開口している。そして、両通路４４Ｂ，４６Ｂの交差領域４８にて、熱媒戻り接続口を規定する第６接続パイプ６８Ｂが戻り通路４６Ｂに接続され、上記交差領域以外の領域（この形態では、交差領域４８と開口部３８との間の領域）にて、熱媒供給接続口を規定する第５接続パイプ６６Ｂが往き通路４４Ｂに接続されている。従って、両通路４４Ｂ，４６Ｂの交差領域４８においては、ヘッダー本体３４Ｂの上壁部と中間壁部との間に往き通路４４Ｂが規定され、この中間壁部の下側に戻り通路４６Ｂが規定され、戻り通路４６Ｂの下側は直接的に熱媒戻り接続口に連通している。そして、このことに関連して、第１接続パイプ５６が第１戻り接続口を規定し、第２接続パイプ５８が第１供給接続口を規定し、第３接続パイプ６０が第２戻り接続口を規定し、また第４接続パイプ６２が第２供給接続口を規定する。この第３の実施形態のその他の構成は、上述した第２の実施形態と実質上同一である。
【００４１】
この第３の実施形態の熱媒供給ヘッダー３２Ｂにおいては、その基本的構成が第２の実施形態と実質上同一であるので、第２の実施形態と同様の作用効果が達成される。
【００４２】
以上、本発明に従う熱媒供給ヘッダーの各種実施形態について説明したが、本発明はかかる実施形態に限定されるものではなく、本発明の範囲を逸脱することなく種々の変形乃至修正が可能である。
【００４３】
例えば、上述した実施形態では、熱媒供給ヘッダーを熱媒として温水を利用する床暖房システムに適用して説明したが、室内の壁、天井などを暖房する装置にも同様に適用することができ、また熱媒として冷水を利用して室内の壁、天井、床などを冷房する装置にも同様に適用することができる。
【００４４】
【発明の効果】
本発明の請求項１記載の熱媒供給ヘッダーによれば、ヘッダー本体の底部に熱媒供給接続口及び熱媒戻り接続口が設けられているので、対応する配管を下方から熱媒供給接続口及び熱媒戻り接続口に容易に接続することができ、床下空間への配管の取り出しが容易になると共に、配管が床下貫通部で座屈することがなく、熱媒循環回路が遮断されるという不都合が生じることもない。
【００４５】
また、本発明の請求項２記載の熱媒供給ヘッダーによれば、往き通路に連通する熱媒供給接続口が往き通路と戻り通路の交差領域に設けられているので、熱媒戻り接続口をこの熱媒供給接続口に近接して配置することが可能となり、これにより、熱媒供給接続口及び熱媒戻り接続口並びにこれらに接続される配管を挿通させるための床下地の貫通孔を小さくすることができる。
【００４６】
また、本発明の請求項３記載の熱媒供給ヘッダーによれば、往き通路の一端側部は、第１供給接続口から下方に延びて両通路の交差領域にてヘッダー本体の底部に開口し、その他端側部は第２供給接続口から下方に延びて上記交差領域にてヘッダー本体の底面に開口しているので、両通路の交差領域においては、ヘッダー本体における通路を形成する隔壁が２層でよく、ヘッダー本体の肉厚を薄くすることができる。
【００４７】
また、本発明の請求項４の熱媒供給ヘッダーによれば、戻り通路に連通する熱媒戻り接続口が往き通路と戻り通路の交差領域に設けられているので、熱媒供給接続口と熱媒戻り接続口とを近接して配置することが可能となり、これによて、熱媒供給接続口及び熱媒戻り接続口並びにこれらに接続される配管を挿通させるための床下地貫通孔を小さくすることができる。
【００４８】
更に、本発明の請求項５の熱媒供給ヘッダーによれば、戻り通路の一端側部は、第１戻り接続口から下方に延びて両通路の交差領域にてヘッダー本体の底部に開口し、その他端側部は第２戻り接続口から下方に延びて上記交差領域にてヘッダー本体の底面に開口しているので、両通路の交差領域においては、ヘッダー本体における通路を形成する隔壁が２層でよく、ヘッダー本体の肉厚を薄くすることができる。
【図面の簡単な説明】
【図１】本発明に従う熱媒供給ヘッダーの第１の実施形態を示す平面図である。
【図２】図１におけるＡ−Ａ線による断面図である。
【図３】図１におけるＢ−Ｂ線による断面図である。
【図４】図１の熱媒供給ヘッダーの使用状態を示す断面図である。
【図５】本発明に従う熱媒供給ヘッダーの第２の実施形態を示す平面図である。
【図６】図５におけるＣ−Ｃ線による断面図である。
【図７】図５におけるＤ−Ｄ線による断面図である。
【図８】本発明に従う熱媒供給ヘッダーの第３の実施形態を示す平面図である。
【図９】床暖房システムの放熱体としての温水マットの一例を示す平面図である。
【図１０】図９におけるＥ−Ｅ線による断面図である。
【図１１】図９の温水マットに用いられた従来の温水供給ヘッダー及びその近傍を示す平面図である。
【符号の説明】
３２，３２Ａ，３２Ｂ  熱媒供給ヘッダー
３４，３４Ａ，３４Ｂ  ヘッダー本体
４４，４４Ａ，４４Ｂ  往き通路
４６，４６Ａ，４６Ｂ  戻り通路
４８  交差領域
５６  第１接続パイプ
５８  第２接続パイプ
６０  第３接続パイプ
６２  第４接続パイプ
６６，６６Ａ，６６Ｂ  第５接続パイプ
６８，６８Ａ，６８Ｂ  第６接続パイプ
７０  床下地
７２  床下空間
８０  温水パイプ
８４  床仕上げ部材
【図１】
2004162925.tif 000003
【図２】
2004162925.tif 000004
【図３】
2004162925.tif 000005
【図４】
2004162925.tif 000006
【図５】
2004162925.tif 000007
【図６】
2004162925.tif 000008
【図７】
2004162925.tif 000009
【図８】
2004162925.tif 000010
【図９】
2004162925.tif 000011
【図１０】
2004162925.tif 000012
【図１１】
2004162925.tif 000013